(57)【要約】【課題】アイドル状態の移動端末の位置を特定するためのページング処理を効率化する。【解決手段】一例において、無線通信システムは、移動端末の無線通信のセッションを管理するセッション管理装置と、ページング処理装置と、を含む。ページング処理装置は、セッション管理装置と複数基地局アドレスを関連づける第１情報を保持する。ページング処理装置は、セッション管理装置から、移動端末識別子を含むページング処理依頼パケットを受信する。ページング処理装置は、ページング処理依頼パケットにおける上記移動端末識別子を含み、第１情報から取得した複数基地局アドレスのそれぞれを送信先アドレスとして含む、上記動端末識別子が示す移動端末の存在の有無の確認を依頼する複数ページングパケット、を生成する。【選択図】図２
2014146892.tif 000002
【特許請求の範囲】
【請求項１】
移動端末の無線通信のセッションを管理するセッション管理装置と、
ページング処理装置と、を含み、
前記ページング処理装置は、
前記セッション管理装置と複数基地局アドレスを関連づける、第１情報を保持し、
前記セッション管理装置から、移動端末識別子を含むページング処理依頼パケットを受信し、
前記ページング処理依頼パケットにおける前記移動端末識別子を含み、前記第１情報から取得した複数基地局アドレスのそれぞれを送信先アドレスとして含む、前記移動端末識別子が示す移動端末の存在の有無の確認を依頼する複数ページングパケット、を生成し、
前記複数ページングパケットを、前記取得した複数基地局のアドレスに、それぞれ送信する、
無線通信システム。
【請求項２】
請求項１に記載の無線通信システムであって、
前記複数ページングパケットのそれぞれは、送信元アドレスとして、前記セッション管理装置のアドレスを含む、無線通信システム。
【請求項３】
請求項２に記載の無線通信システムであって、
前記ページング処理依頼パケットは、送信元アドレスとして前記セッション管理装置のアドレスを含み、送信先アドレスとして前記ページング処理装置のアドレスを含み、
前記ページング処理装置は、前記ページング処理依頼パケットの送信先アドレスを前記取得した複数基地局アドレスに順次変更して、前記複数ページングパケットを順次生成する、無線通信システム。
【請求項４】
請求項２又は３に記載の無線通信システムであって、
前記セッション管理装置は、前記ページングパケットを送信した一つの基地局から肯定応答を受信すると、前記ページング処理装置に対して、ページングパケット送信の停止を指示する、無線通信システム。
【請求項５】
請求項２又は３に記載の無線通信システムであって、
前記ページング処理装置は、前記第１情報から、前記セッション管理装置に関連付けられた全ての基地局アドレスを取得し、
前記ページング処理装置は、前記複数ページングパケットを、前記全ての基地局アドレスにそれぞれ送信する、無線通信システム。
【請求項６】
請求項２又は３に記載の無線通信システムであって、
前記ページング処理装置は、前記ページングパケットを送信した一つの基地局から前記セッション管理装置への肯定応答を取得すると、ページングパケット送信を停止する、無線通信システム。
【請求項７】
請求項１、２又は３に記載の無線通信システムであって、
複数セッション管理装置を含み、
前記第１情報は、前記複数セッション管理装置と、前記複数セッション管理装置のそれぞれが担当する複数基地局とを関連付け、
前記ページング処理装置は、前記複数セッション管理装置における各セッション管理装置からのページング処理要求を受け付ける、無線通信システム。
【請求項８】
移動端末の無線通信のセッションを管理するセッション管理装置を含む無線通信システムにおける、ページング処理方法であって、
前記セッション管理装置から、移動端末識別子を含むページング処理依頼パケットを取得し、
前記セッション管理装置と複数基地局アドレスを関連づける第１情報を参照し、
前記ページング処理依頼パケットにおける前記移動端末識別子を含み、前記第１情報から取得した複数基地局アドレスのそれぞれを送信先アドレスとして含む、前記移動端末識別子が示す移動端末の存在の有無の確認を依頼する複数ページングパケット、を生成し、
前記生成した複数ページングパケットを、前記取得した複数基地局のアドレスに、それぞれ送信する、ことを含むページング処理方法。
【請求項９】
請求項８に記載のページング処理方法であって、
前記複数ページングパケットのそれぞれは、送信元アドレスとして、前記セッション管理装置のアドレスを含む、ページング処理方法。
【請求項１０】
請求項９に記載のページング処理方法であって、
前記ページング処理依頼パケットは、送信元アドレスとして前記セッション管理装置のアドレスを含み、送信先アドレスとして前記ページング処理装置のアドレスを含み、
前記生成は、前記ページング処理依頼パケットの送信先アドレスを前記取得した複数基地局アドレスに順次変更して、前記複数ページングパケットを順次生成する、ページング処理方法。
【発明の詳細な説明】
【技術分野】
【０００１】
本発明は無線通信システム及びページング処理方法に関する。
【背景技術】
【０００２】
無線移動端末（以下において移動端末とも呼ぶ）の利用の拡大、特にスマートフォンのようにデータ通信を主に行う移動端末の利用が拡大している。このような移動端末は、インターネットを介して様々なサイトにアクセスし、サイトから情報を受信する。インターネットを介した様々なサービスの中で、最近、ネットワーク上のサイトを介した個人間コミュニケーションを促進する、ＳＮＳ（Ｓｏｃｉａｌ  Ｎｅｔｗｏｒｋｉｎｇ  Ｓｅｒｖｉｃｅ）の利用が拡大している。
【０００３】
上記ＳＮＳの他、短文投稿サービスや株価のように頻繁に更新される情報の提供サービスのようなサービス（サイトの利用）において、Ｐｕｓｈ型通信が多く使用される。Ｐｕｓｈ型通信は、クライアント（移動端末）からの要求によらず、アクセス先のサーバからのデータを非同期に移動端末に自動送信する。
【０００４】
セッション管理ゲートウェイは、サーバからＰｕｓｈ型通信データを受信すると、転送先の移動端末の状態がアクティブであるか、アイドルであるかを判定する。アクティブ状態の移動端末と基地局との間にはセッションが確立されており、アイドル状態の移動端末と基地局との間ではセッションが切断されている。
【０００５】
無線通信区域での周波数帯域は決まっており、そこで使用できる無線リソースが有限である。そのため、移動端末と基地局との間の現在の通信が存在しない場合、それらの間のセッション（通信）が切断される。これにより、通信を必要する移動端末が、解放された無線リソースを利用することができる。
【０００６】
無線リソースの効率利用のために、移動端末の状態がアクティブ状態からアイドル状態に変化し、移動端末と基地局とのセッションが切断されても、移動端末とアクセス先サーバとの間のセッションは維持されている。サーバ、Ｐｕｓｈ型通信データを、アクティブ状態及びアイドル状態のいずれの状態の移動端末に対しても送信する。
【０００７】
移動端末がアクティブ状態にある場合、セッション管理ゲートウェイは、受信したデータを、現在移動端末と通信している基地局を介して、移動端末に送信する。移動端末がアイドル状態にある場合、セッション管理ゲートウェイは、移動端末とセッション管理ゲートウェイ（基地局）との間のセッションを確立し、移動端末をアクティブ状態にする必要がある。
【０００８】
しかし、移動端末がアイドル状態にある場合、当該移動端末がいずれの基地局のセル内に存在しているか不明である。そのため、セッション管理ゲートウェイは、その配下の各基地局に対して、該当移動端末が該当セル内に存在するか否かを確認する。この処理を、ページング処理（例えば特許文献１を参照）と呼ぶ。ページング処理は、アイドル状態の移動端末への電話着信においても利用される。
【０００９】
ペーシング処理は、セッション管理ゲートウェイが該当移動端末の識別子を含む確認依頼パケット（ページングパケット）を、そのセッション管理ゲートウェイが管理する基地局のそれぞれに、ユニキャスト通信にて送信する。確認依頼パケットを受信した基地局は、担当セル内に指定された移動端末が存在するか確認する。
【００１０】
担当セル内に指定された移動端末が存在する場合、基地局は、セッション管理ゲートウェイに対して、確認依頼パケットに対する肯定応答パケットを送信する。これにより、セッション管理ゲートウェイは、その基地局を経由して、移動端末とそれとの間のセッションを確立し、移動端末との通信を行う。
【先行技術文献】
【特許文献】
【００１１】
【特許文献１】特開２００７−１５１０４５号公報
【発明の概要】
【発明が解決しようとする課題】
【００１２】
従来のページング処理は、ソケットインタフェースを利用して、各基地局に、ユニキャストで、順次、確認依頼パケットを送信する。セッション管理ゲートウェイは、確認依頼パケットを送信した基地局から肯定応答パケットを受信しない場合、生成したソケットを解放し、次の基地局を選択し、ソケットを新たに生成して当該次の基地局に確認依頼パケットを送信する。セッション管理ゲートウェイは、基地局の選択と、ソケットの生成と、選択した基地局への当該ソケットを利用した確認依頼パケットの送信とを、肯定応答パケットを受信するまで繰り返す。
【００１３】
このように、従来のページング処理は、ユニキャスト送信により、順次基地局に確認依頼パケットを送信するため、処理効率が低い。また、従来のページング処理は、ソケットインタフェースを利用した通信であり、ソフトウェア処理である。そのため、高速、大容量化が難しい。
【００１４】
そのため、データ通信が中心となる移動端末が拡大する中、Ｐｕｓｈ型通信の拡大により、ペーシング処理が、セッション管理ゲートウェイにとってより大きな処理負荷となっている。今後、増大したペーシング処理が、通常の音声、データ通信にも影響することが考えられる。
【課題を解決するための手段】
【００１５】
本発明の一態様の無線通信システムは、移動端末の無線通信のセッションを管理するセッション管理装置と、ページング処理装置と、を含む。前記ページング処理装置は、前記セッション管理装置と複数基地局アドレスを関連づける、第１情報を保持する。前記ページング処理装置は、前記セッション管理装置から、移動端末識別子を含むページング処理依頼パケットを受信する。前記ページング処理装置は、前記ページング処理依頼パケットにおける前記移動端末識別子を含み、前記第１情報から取得した複数基地局アドレスのそれぞれを送信先アドレスとして含む、前記移動端末識別子が示す移動端末の存在の有無の確認を依頼する複数ページングパケット、を生成する。前記ページング処理装置は、前記複数ページングパケットを、前記取得した複数基地局のアドレスにそれぞれ送信する。
【発明の効果】
【００１６】
本発明の一態様によれば、アイドル状態の移動端末の位置を特定するためのページング処理を効率化することができる。
【図面の簡単な説明】
【００１７】
【図１】実施例１において、無線通信システムの概略構成を模式的に示す図である。
【図２】実施例１において、ページング処理におけるデータの流れを示すシーケンス図である。
【図３】実施例１において、セッション管理サーバの構成例を模式的に示すブロック図である。
【図４】実施例１において、セッション管理テーブルの構成例を示している。
【図５】実施例１において、ページング処理におけるセッション管理プログラムの処理の例を示すフローチャートである。
【図６】実施例１において、ページング処理ブロックの構成例を模式的に示すブロック図である。
【図７】実施例１において、セッション管理ゲートウェイ管理テーブルの構成例を示している。
【図８】実施例１において、セッション管理ゲートウェイ−基地局管理テーブルの構成例を示している。
【図９】実施例１において、パケット処理部による、ページング処理依頼パケットのページングパケットへの変換を示す図である。
【図１０】実施例１において、パケット処理部の処理例を示すフローチャートである。
【図１１】他の実施例において、ページング処理におけるデータの流れを示すシーケンス図である。
【図１２】他の実施例において、セッション管理ゲートウェイの処理例を示すフローチャートである。
【図１３】他の実施例において、ページング処理におけるデータの流れを示すシーケンス図である。
【発明を実施するための形態】
【００１８】
以下、添付図面を参照して本発明の実施形態について説明する。以下の説明及び添付図面は本発明の原理に則った具体的な実施形態と実装例を示しているが、これらは本発明の理解のためのものであり、決して本発明を限定的に解釈するために用いられるものではない。
【００１９】
本実施形態の無線通信システムは、ペーシング処理を行うペーシング処理ブロックを含む。セッション管理ゲートウェイは、ペーシング処理ブロックに対して、移動端末識別子を含む、ページング処理依頼パケットを送信する。
【００２０】
ペーシング処理ブロックは、セッション管理ゲートウェイが担当する基地局のアドレスリストを持っており、受信したページング処理依頼パケットとアドレスリストから、複数の基地局に送信するページングパケットを生成し、各基地局に送信する。ページングパケットは、基地局に移動端末が担当セル内に存在するか確認を依頼するパケットである。
【００２１】
ページング処理ブロックが、セッション管理ゲートウェイに代わり、セッション管理ゲートウェイから受信したページング処理依頼パケットから、複数ページングパケットを生成することで、ページングパケットの生成及び送信を効率化することができる。
【００２２】
以下に説明する一例において、ページング処理依頼パケットは、ＩＰパケットであって、ページングパケットと同一フォーマットを有する。ページング処理依頼パケットは、送信元アドレスとしてセッション管理ゲートウェイのＩＰアドレスを含み、送信先アドレスとしてペーシング処理ブロックのＩＰアドレスを含む。データフィールドは、探索対象の移動端末の識別子を格納する。ページング処理依頼パケットは、送信先がページング処理ブロックである、ページングパケットに相当する。
【００２３】
ページング処理ブロックは、受信パケットの送信先アドレスを、上記アドレスリストから選択した基地局ＩＰアドレスに変更することで、ページング処理依頼パケットをページングパケットに変換する。ページング処理ブロックは、この変換を繰り返すことで、複数ページングパケットを生成する。生成されたページングパケットは、順次、基地局に送信される。
【００２４】
ペーシング処理ブロックにて生成されるページングパケットの送信元ＩＰアドレスは、セッション管理ゲートウェイを示している。そのため、該当基地局からの肯定応答パケットは、直接セッション管理ゲートウェイに送付される。これにより、アイドル状態の移動端末の位置を特定するために、複数基地局に対して該当移動端末の存在の有無を確認するページング処理を、より効率化することができる。
【実施例１】
【００２５】
図１は、本実施例の無線通信システムの概略構成を模式的に示す図である。無線通信システム１は、１以上のセッション管理ゲートウェイ（ＧＷ）１１と、ページング処理ブロック１２と、複数基地局１３と、１以上の移動端末（例えば携帯電話）１４と、を含む。セッション管理ゲートウェイ１１及び基地局１３の数は、設計に依存して変化する。複数のページング処理ブロック１２が含まれていてもよい。移動端末１４の数は、無線通信システム１の設計及び現在利用者数に依存して変化する。
【００２６】
各基地局１３には、担当セル（無線通信区域）１７が割り当てられており、各基地局１３は、担当セル内に存在する移動端末１４と無線で通信を行う。基地局１３は、モバイル通信ネットワーク１５を介して、セッション管理ゲートウェイ１１及びページング処理ブロック１２と通信することができる。モバイル通信ネットワーク１５は、例えば、有線ネットワークである。セッション管理ゲートウェイ１１及びページング処理ブロック１２は、モバイル通信ネットワーク１５又は不図示のネットワーク（例えば専用ネットワーク）を介して、通信することができる。
【００２７】
図１の例において、複数のセッション管理ゲートウェイ１１が示されている。セッション管理ゲートウェイ１１には、それぞれ、担当する移動端末１４が割り当てられており、各セッション管理ゲートウェイ１１は、担当する移動端末１４の通信を管理、制御する。
【００２８】
また、セッション管理ゲートウェイ１１には、それぞれ、担当する基地局１３が割り当てられており、各セッション管理ゲートウェイ１１は、移動端末１４とアクセス先サーバとの間のセッションを管理、制御する。
【００２９】
セッション管理ゲートウェイ１１は、上位ネットワーク１６に接続し、上位ネットワーク１６と移動端末１４との間のデータを中継する。セッション管理ゲートウェイ１１は、上位ネットワーク１６からのデータ（音声データを含む）をいずれかの基地局１３を介して移動端末１４に送信し、移動端末１４から基地局１３を介して受信したデータを、上位ネットワーク１６を介して通信先に送信する。
【００３０】
例えば、上位ネットワーク１６はインターネット網であり、移動端末１４のアクセス先サーバがそこに接続している。移動端末１４は、基地局１３およびセッション管理ゲートウェイ１１を介して、インターネット網１６に接続するサーバとの間でデータの送受信を行う。
【００３１】
本実施形態は、アイドル状態の移動端末１４の位置、具体的には、アイドル状態の移動端末１４が位置するセル、つまり、アイドル状態の移動端末１４と通信を行う基地局１３を特定するためのページング処理に特徴を有する。以下においては、上位ネットワーク１６を介した、サーバ（例えばＷｅｂサーバ）と移動端末１４との間のデータ通信のためのページング処理の例を説明する。移動体電話の着信呼び出しのためのページングに対しても、同様の説明を適用することができる。
【００３２】
アクティブ状態にある移動端末１４は、いずれかの基地局１３とセッションを維持し、データ（音声データを含む）を送受信している。一方、アイドル状態にある移動端末１４は、いずれの基地局１３ともセッションを維持しておらず、データ（音声データを含む）を送受信していない。
【００３３】
セッション管理ゲートウェイ１１は、移動端末１４との通信が必要となると、ページング処理を開始する。セッション管理ゲートウェイ１１は、ページング処理ブロック１２を使用して、ページング処理を行う。
【００３４】
ページング処理は、移動端末１４が位置するセル、つまり当該セルの担当基地局１３を特定し、それらの間でセッションを確立させる。これにより、上位ネットワーク１６に接続するサーバ（アクセス先サーバ）と移動端末１４とのデータ通信を行うことができる。
【００３５】
図２は、本例のページング処理におけるデータ（パケット）の流れを示すシーケンス図である。移動端末１４がアクティブ状態からアイドル状態に移っても、移動端末１４とアクセス先サーバとは、それらの間のセッションを維持している。サーバは、Ｐｕｓｈ型通信によるデータを、セッション管理ゲートウェイ１１に送信する。セッション管理ゲートウェイ１１は、上位ネットワーク１６から受信したデータの転送先の移動端末１４が、アイドル状態にある場合、ページング処理を開始する。
【００３６】
図２の例において、セッション管理ゲートウェイ１１が担当する（管理する）基地局は、三つの基地局１３Ａ、１３Ｂ、１３Ｃであるとする。図２において、セッション管理ゲートウェイ１１は、ページング処理依頼パケット２１をページング処理ブロック１２に送信して、ページング処理を開始する。以下に説明する例において、ページング処理依頼パケット２１は、例えば、ＩＰパケット（レイヤ３のデータユニットの例）であって、探索している移動端末１４の識別子を含む。
【００３７】
ページング処理ブロック１２は、ページング処理依頼パケット２１を受信すると、そのページング処理依頼パケット２１からページングパケット２２Ａ、２２Ｂ、２２Ｃを生成し、基地局１３Ａ、１３Ｂ、１３Ｃのそれぞれに送信する。例えば、ページングパケット２２Ａ、２２Ｂ、２２Ｃは、ページング処理依頼パケット２１と同様に、ＩＰパケットである。ページング処理ブロック１２は、ページング処理依頼パケット２１からのページングパケットの生成及び基地局への送信を、基地局１３Ａ、１３Ｂ、１３Ｃのために繰り返す。
【００３８】
ページングパケットは、基地局に対して、該当セル内に指定した移動端末１４が存在するか否かの確認を依頼する。基地局１３Ａ、１３Ｂ、１３Ｃは、それぞれ、ページングパケット２２Ａ、２２Ｂ、２２Ｃを受信すると、指定されている移動端末１４を探すための処理を開始する。
【００３９】
例えば、基地局１３Ａ、１３Ｂ、１３Ｃは、それぞれ、担当セル内の全移動端末１４に放送型通信にて、移動端末識別子を含む呼び出しメッセージを送信する。呼び出しメッセージを受信した移動端末１４は、それに含まれる移動端末識別子と自機の識別子とを比較する。それらが一致する場合に、当該移動端末１４は、呼び出しメッセージの送信元基地局に、応答メッセージを送信する。
【００４０】
図２の例においては、基地局１３Ａが、担当セル内の移動端末１４から応答メッセージを受信している。基地局１３Ａは、担当セル内に移動端末１４が存在することを確認したので、ページング肯定応答パケット２４を、セッション管理ゲートウェイ１１に送信する。ページング肯定応答パケット２４の送信先は、ページング処理依頼パケット２１の送信元セッション管理ゲートウェイ１１である。ページング肯定応答パケット２４は、例えば、送信元ＩＰアドレス（基地局ＩＰアドレス）と共に、探索移動端末ＩＤを含み、いずれの移動端末１４のためのページング応答であるかを示す。
【００４１】
ページング肯定応答パケット２４を受信したセッション管理ゲートウェイ１１は、サーバから受信したデータを、基地局１３Ａに送信する。基地局１３Ａは、移動端末１４との間の無線通信のセッションを確立して、受信したデータを移動端末１４に転送する。
【００４２】
図２に示すように、本例の通信システム１においては、ページング処理ブロック１２が、基地局１３Ａ、１３Ｂ、１３Ｃに送信するページングパケット２２Ａ、２２Ｂ、２２Ｃを生成し、基地局１３Ａ、１３Ｂ、１３Ｃのそれぞれに送信する。
【００４３】
後述するように、ページング処理ブロック１２は、ページング処理依頼パケット２１から、ページングパケット２２Ａ、２２Ｂ、２２Ｃする。このため、ページング処理ブロック１２は、ソケットを利用することなく、ページングパケット２２Ａ、２２Ｂ、２２Ｃを作成することができ、ページングパケットの生成及び送信を効率化することができる。
【００４４】
ページング処理ブロック１２は、基地局１３Ａ、１３Ｂ、１３Ｃからの応答を待つことなく、順次ページングパケット２２Ａ、２２Ｂ、２２Ｃを送信するので、迅速に移動端末の位置を特定することができる。
【００４５】
図２の例において、基地局１３Ａからのページング肯定応答パケット２４は、ページング処理ブロック１２ではなく、セッション管理ゲートウェイ１１に送信される。これにより、処理を効率化することができると共に、セッション管理ゲートウェイ１１が、移動端末１４と通信する基地局１３を迅速に特定することができる。
【００４６】
図２の例において、ページング処理ブロック１２は、ページング肯定応答パケット２４の転送の有無及び転送タイミングに関わらず、セッション管理ゲートウェイ１１が担当する全ての基地局１３Ａ、１３Ｂ、１３に、ページングパケット２２Ａ、２２Ｂ、２２Ｃを送信する。これにより、ページング処理ブロック１２の処理をシンプルなものとすることができる。
【００４７】
なお、ページング肯定応答パケット２４のいずれかの基地局からセッション管理ゲートウェイ１１への送信と、複数ページングパケット２２の送信のタイミング関係は、システム構成及びいずれのセルに移動端末１４が存在しているかにより変化する。例えば、全てのページングパケット２２が送信された後に、ページング肯定応答パケット２４が送信されることもある。
【００４８】
次に、図３〜図５を参照して、本例のページング処理に関連するセッション管理ゲートウェイ１１の構成及びそれによる処理を説明する。図３は、セッション管理ゲートウェイ１１の構成を模式的に示すブロック図である。セッション管理ゲートウェイ１１は、計算機であって、主記憶デバイスであるメモリ１１１、二次記憶デバイス１１９、プロセッサ１１８、及び通信デバイス１１７を有する。これらのデバイスは、内部バス１１０を介して互いに接続される。
【００４９】
メモリ１１１は、セッション管理プログラム１１２、情報管理プログラム１１３、情報リポジトリ１１４を格納している。例えば、これらは、二次記憶デバイス１１９からメモリ１１１にロードされる。二次記憶デバイス１１９は、不揮発性の非一時的記憶媒体を含むデバイスであって、ネットワークを介して接続する外部デバイスであってもよい。
【００５０】
プロセッサ１１８は、メモリ１１１上に展開されるプログラムを実行し、セッション管理部及び情報管理部として機能する。通信デバイス１１７は、モバイル通信ネットワーク１５、上位ネットワーク１６及びその他のネットワークに接続するためのインタフェースである。
【００５１】
セッション管理プログラム１１２は、移動端末１４の通信を制御及び管理する。本例において、セッション管理プログラム１１２は、アイドル状態の移動端末１４が通信する基地局を特定するためのページング処理を制御する。情報管理プログラム１１３は、情報リポジトリ１１４内の情報及び不図示の移動体通信に必要な情報を管理する。
【００５２】
情報リポジトリ１１４は、セッション管理テーブル１１５及び基地局管理テーブル１１６を含む。セッション管理テーブル１１５の詳細は後述する。基地局管理テーブル１１６は、自セッション管理ゲートウェイ１１が担当する基地局１３の識別子及びＩＰアドレス（ネットワーク上の機器アドレスの一例）を関連付けて管理する。
【００５３】
オペレータは、管理計算機から、セッション管理ゲートウェイ１１が必要とする情報、例えば基地局管理テーブル１１６の情報、を登録することができる。情報管理プログラム１１３は、外部（例えば上位ネットワーク１６）から受信した制御情報を情報リポジトリ１１４に格納し、情報の必要な更新を行う。
【００５４】
図３は、セッション管理ゲートウェイ１１の一部構成を示し、セッション管理ゲートウェイ１１は他の要素を含む。例えば、セッション管理ゲートウェイ１１は、オペレーティングシステム（ＯＳ）を含み、入力デバイスや出力デバイスを含むことができる。
【００５５】
図４は、セッション管理テーブル１１５の構成例を示している。セッション管理テーブル１１５は、現在維持されている、移動端末１４とその通信先との間のセッションを管理する。セッション管理テーブル１１５は、通信装置ＩＰアドレス欄４０１、セッションＩＤ欄４０２、移動端末ＩＤ欄４０３、移動端末の状態欄４０４、基地局ＩＰアドレス欄４０５を有する。
【００５６】
通信装置ＩＰアドレス欄４０１は、移動端末１４とセッションを維持し、移動端末１４と通信を行っている通信装置（例えばＷｅｂサーバ）のＩＰアドレスを格納する。セッションＩＤ欄４０２は、現在維持されているセッションのセッションＩＤを格納する。移動端末ＩＤ欄４０３は、セッションにおいて通信している移動端末の識別子（ＩＤ）を格納している。
【００５７】
移動端末の状態欄４０４は、移動端末１４がアイドル状態であるかアクティブ状態であるかを示す。基地局ＩＰアドレス欄４０５は、アクティブ状態にある移動端末１４が通信する基地局１３のＩＰアドレスを格納する。移動端末１４がアイドル状態にある場合、それはいずれの基地局１３とも通信していないため、基地局ＩＰアドレス欄４０５の当該フィールドは、「ＮＯＮＥ」を格納している。
【００５８】
セッション管理プログラム１１２は、新たなセッションが確立されると、セッション管理テーブル１１５に新たなエントリを追加する。移動端末１４の状態が変化する又は通信基地局１３が変化すると、セッション管理プログラム１１２はセッション管理テーブル１１５を更新する。セッションが解放されると、セッション管理プログラム１１２は、セッション管理テーブル１１５から、当該エントリを削除する。
【００５９】
図５は、本例のページング処理におけるセッション管理プログラム１１２の処理の例を示すフローチャートである。図５は、セッション管理ゲートウェイ１１が、既存のセッションにおいてサーバから移動端末１４へのデータを受信した場合に行う処理例を示す。
【００６０】
セッション管理プログラム１１２は、上位ネットワーク１６からのパケットを、通信デバイス１１７を介して取得する（Ｓ１０１）。例えば、セッション管理プログラム１１２は、ＯＳからＩＰパケットを取得する。セッション管理プログラム１１２は、ＩＰパケットから、送信元ＩＰアドレス及びセッションＩＤを取得する。
【００６１】
セッション管理プログラム１１２は、セッション管理テーブル１１５において、上記取得した送信元ＩＰアドレス及びセッションＩＤを、通信装置ＩＰアドレス欄４０１及びセッションＩＤ欄４０２に有する、エントリを検索する。さらに、セッション管理プログラム１１２は、当該エントリの移動端末の状態欄４０４を参照して、パケット送信先移動端末１４の状態を確認する（Ｓ１０２）。当該エントリが存在しない場合には、セッション管理プログラム１１２は、本フローを終了する。
【００６２】
移動端末１４の状態がアクティブである場合（Ｓ１０２：アクティブ）、セッション管理プログラム１１２は、セッション管理テーブル１１５が示す基地局１３に対して、受信したＩＰパケットを転送する（Ｓ１０３）。
【００６３】
移動端末１４の状態がアイドルである場合（Ｓ１０２：アイドル）、セッション管理プログラム１１２は、情報リポジトリ１１４からページング処理ブロック１２のＩＰアドレスを取得する（Ｓ１０４）。セッション管理プログラム１１２は、ページング処理依頼パケットをページング処理ブロック１２に送信するために、ソケット生成処理を開始する（Ｓ１０５）。
【００６４】
一例において、セッション管理プログラム１１２は、ＵＤＰソケットを生成する。例えば、ＯＳは、ソケット生成のＡＰＩ（Ａｐｐｌｉｃａｔｉｏｎ  Ｐｒｏｇｒａｍ  Ｉｎｔｅｒｆａｃｅ）を提供する。ソケット生成は、ページング処理ブロック１２のＩＰアドレスを使用して、指定されたプロトコルタイプのソケットを生成する。ソケット生成において、セッション管理プログラム１１２は、ソケット通信に必要なメモリ領域を確保する（Ｓ１０６）。
【００６５】
ソケット生成後、セッション管理プログラム１１２は、ページング処理依頼パケット２１を作成するためのデータを、ソケットに渡す（Ｓ１０７）。本例において、ページング処理依頼パケット２１はページングパケット２２と同じフォーマットを有する。セッション管理プログラム１１２は、送信先のＩＰアドレス及びポート番号、並びにパケットに含めるデータをソケットに渡す。
【００６６】
ソケットは、セッション管理プログラム１１２から取得したデータ及びセッション管理ゲートウェイ１１のＩＰアドレスを含むページング処理依頼パケットを生成し、ページング処理ブロック１２に送信する（Ｓ１０８）。セッション管理プログラム１１２は、ページング処理依頼パケットの送信後、作成したソケットと確保したメモリ領域を開放して（Ｓ１０９）、このフローを終了する。
【００６７】
図６は、ページング処理ブロック１２の構成例を模式的に示すブロック図である。ページング処理ブロック１２は、パケット処理部１２１、メモリ１２２そして通信インタフェース１２３を含む。メモリ１２２は、セッション管理ゲートウェイ管理テーブル２２１及びセッション管理ゲートウェイ−基地局管理テーブル２２２を格納している。
【００６８】
通信インタフェース１２３は、モバイル通信ネットワーク１５及びセッション管理ゲートウェイ１１との通信ネットワークに接続するためのインタフェースである。以下に説明する例において、通信インタフェース１２３は、受信したデータ（例えばイーサネットパケット）（イーサネットは登録商標、以下同じ）を、メモリ１２２を介して又は介さずに、パケット処理部１２１に渡す。このデータは、ページング処理依頼パケット２１を含む。通信インタフェース１２３は、受信したデータからページング処理依頼パケット２１を選択して、パケット処理部１２１に渡してもよい。
【００６９】
パケット処理部１２１は、パケットデータ選択部２１１とパケット生成部２１２とを含む。例えば、パケット処理部１２１は、プログラムに従って動作するネットワークプロセッサ及び／又はロジック回路で構成することができる。ネットワークプロセッサとプログラムでパケットデータ選択部２１１とパケット生成部２１２が実現される場合、ネットワークプロセッサは、パケットデータ選択部２１１であり、かつ、パケット生成部２１２である。パケット処理部１２１の処理は後述する。
【００７０】
図７は、セッション管理ゲートウェイ管理テーブル２２１の構成例を示している。セッション管理ゲートウェイ管理テーブル２２１は、ページング処理ブロック１２が担当するセッション管理ゲートウェイ１１のＩＰアドレスを管理する。セッション管理ゲートウェイ管理テーブル２２１は、セッション管理ゲートウェイＩＰアドレス欄７０１と、セッション管理ゲートウェイ管理ＩＤ欄７０２を有する。欄７０１、７０２は、それぞれ、登録セッション管理ゲートウェイ１１の、ＩＰアドレス及び管理用識別子（管理ＩＤ）を格納している。
【００７１】
図８は、セッション管理ゲートウェイ−基地局管理テーブル２２２の構成例を示している。セッション管理ゲートウェイ管理テーブル２２１は、ページング処理ブロック１２が担当するセッション管理ゲートウェイ１１及び、セッション管理ゲートウェイ１１のそれぞれが担当する基地局１３を関連付ける。
【００７２】
図８の例において、セッション管理ゲートウェイ−基地局管理テーブル２２２は、セッション管理ゲートウェイ管理ＩＤ欄８０１及び基地局ＩＰアドレス欄８０２を有する。セッション管理ゲートウェイ管理ＩＤ欄８０１は、ページング処理ブロック１２が担当するセッション管理ゲートウェイ１１の管理識別子（管理ＩＤ）を格納する。基地局ＩＰアドレス欄８０２は、各セッション管理ゲートウェイ１１が担当する基地局１３のＩＰアドレスを格納する。
【００７３】
図６に戻って、パケットデータ選択部２１１は、通信インタフェース１２３から取得した、ページング処理依頼パケット２１を含むデータから所定のデータを選択し、選択したデータ（選択パケットデータ）をパケット生成部２１２に渡す。パケット生成部２１２は、取得した選択パケットデータに送信先基地局１３のＩＰアドレスを付与して、ページングパケットを生成する。パケット生成部２１２は、生成したページングパケット２２を、通信インタフェース１２３から、モバイル通信ネットワーク１５に出力する。
【００７４】
図９は、パケット処理部１２１による、ページング処理依頼パケット２１のページングパケット２２への変換を示す図である。図９において、ページング処理依頼パケット２１及びページングパケット２２の右端が、それぞれ、先頭ビットである。ページング処理依頼パケット２１及びページングパケット２２のフォーマットは同一である。
【００７５】
ページング処理依頼パケット２１は、送信先ＩＰアドレスフィールド９０１、送信元ＩＰアドレスフィールド９０２、そしてデータフィールド９０３を含む。送信先ＩＰアドレスフィールド９０１は、ページング処理ブロック１２のＩＰアドレスを格納している。送信元ＩＰアドレスフィールド９０２は、当該パケット２１を送信したセッション管理ゲートウェイ１１のＩＰアドレスを格納する。データフィールド９０３は、現在位置を探索している移動端末１４の識別子を含む端末情報を格納している。
【００７６】
ページングパケット２２は、送信先ＩＰアドレスフィールド９１１、送信元ＩＰアドレスフィールド９１２、そしてデータフィールド９１３を含む。送信先ＩＰアドレスフィールド９０１は、ページングパケット２２の送信先基地局のＩＰアドレスを格納する。
【００７７】
送信元ＩＰアドレスフィールド９１２のデータは、ページング処理依頼パケット２１の送信元ＩＰアドレスフィールド９０２のデータと同一である。データフィールド９１３のデータは、ページング処理依頼パケット２１のデータフィールド９０３のデータと同一である。このように、ページング処理依頼パケット２１とページングパケット２２との間において、送信先ＩＰアドレスフィールドの値のみが異なり、他のデータは同一である。
【００７８】
パケットデータ選択部２１１は、通信インタフェース１２３から取得したページング処理依頼パケット２１から、送信元ＩＰアドレスフィールド９０２及びデータフィールド９０３のデータを選択する（選択パケットデータ９０５）。パケットデータ選択部２１１は、選択したパケットデータ９０５を、メモリ１２２を介して又は介さずにパケット生成部２１２に渡す。
【００７９】
パケット生成部２１２は、選択パケットデータ９０５に、セッション管理ゲートウェイ−基地局管理テーブル２２２から取得した送信先基地局のＩＰアドレスを付加して、ページングパケット２２を生成する。パケット生成部２１２は、ページングパケット２２を含む下位層パケット（例えばイーサネットパケット）を作成し、通信インタフェース１２３から、モバイル通信ネットワーク１５に出力する。
【００８０】
パケット生成部２１２は、セッション管理ゲートウェイ−基地局管理テーブル２２２において送信元セッション管理ゲートウェイ１１に関連付けられている基地局１３のそれぞれに、ページングパケット２２を生成、送信する。ページングパケット２２のデータは、送信先基地局ＩＰアドレス９１１以外のデータ９１２、９１３が共通である。パケット生成部２１２は、選択パケットデータ９０５に、順次異なる送信先基地局ＩＰアドレス９１１を付加することで、ページングパケット２２を効率的に生成することができる。
【００８１】
例えば、メモリ１２２においてページングパケット２２を格納する領域が確保されており、そこに選択パケットデータ９０５が、パケットデータ選択部２１１により格納される。パケット生成部２１２は、メモリ１２２において、送信先ＩＰアドレスフィールド９１１の値（送信先ＩＰアドレスフィールド９１１のアドレス領域の値）を繰り返し書き換えることによって、関連基地局１３に送信するページングパケット２２を順次作成することができる。
【００８２】
このように、ページング処理依頼パケット２１の送信先ＩＰアドレスを書き換えて、ページングパケット２２に変換することで、メモリ１２２の効率的利用が可能である。なお、パケット処理部１２１は、ページングパケット２２を生成するためにどのようにハードウェア構成を利用してもよい。パケット生成部２１２は、ページング処理依頼パケット２１を取得してもよい。
【００８３】
図１０は、パケット処理部１２１の処理例を示すフローチャートである。パケット処理部１２１は、セッション管理ゲートウェイ１１からのページング処理依頼パケット２１を、通信インタフェース１２３を介して受信する（Ｓ２０１）。
【００８４】
パケットデータ選択部２１１は、ページング処理依頼パケット２１から送信元ＩＰアドレス９０２を取得し、受信したページング処理依頼パケット２１の送信元ＩＰアドレス９０２をセッション管理ゲートウェイ管理テーブル２２１（セッション管理ゲートウェイ１１ＩＰアドレス欄７０１）において検索する（Ｓ２０２）。
【００８５】
送信元セッション管理ゲートウェイ１１のＩＰアドレスが、セッション管理ゲートウェイ管理テーブル２２１に存在しない場合（Ｓ２０２：ＮＯ）、パケットデータ選択部２１１は、拒否応答を送信元セッション管理ゲートウェイ１１に返す（Ｓ２０３）。送信元セッション管理ゲートウェイ１１のＩＰアドレスが、セッション管理ゲートウェイ管理テーブル２２１に登録されている場合（Ｓ２０２：ＹＥＳ）、パケットデータ選択部２１１は、選択パケットデータ９０５をパケット生成部２１２に渡す。
【００８６】
パケット生成部２１２は、セッション管理ゲートウェイ管理テーブル２２１において、送信元セッション管理ゲートウェイ１１のＩＰアドレスを検索し、対応する管理ＩＤをセッション管理ゲートウェイ管理ＩＤ欄７０２から取得する（Ｓ２０４）。
【００８７】
パケット生成部２１２は、取得した管理ＩＤをセッション管理ゲートウェイ−基地局管理テーブル２２２（セッション管理ゲートウェイ管理ＩＤ欄８０１）において検索し、当該管理ＩＤに対応する未選択の基地局ＩＰアドレスを、基地局ＩＰアドレス欄８０２から選択する（Ｓ２０５）。
【００８８】
パケット生成部２１２は、選択した基地局ＩＰアドレスを選択パケットデータ９０５に付加してページングパケット２２を生成し、当該基地局ＩＰアドレスに送信（ユニキャスト送信）する（Ｓ２０６）。
【００８９】
パケット生成部２１２は、セッション管理ゲートウェイ−基地局管理テーブル２２２を参照し、直前に選択した基地局ＩＰアドレスが、上記セッション管理ゲートウェイ管理ＩＤに対応する最後の基地局ＩＰアドレスであるか判定する（Ｓ２０７）。判定結果が肯定的であり（Ｓ２０７：ＹＥＳ）、管理ＩＤに対応する全ての基地局へページングパケットが送信されている場合、パケット処理部１２１はこのフローを終了する。
【００９０】
未選択の対応基地局ＩＰアドレスが存在する場合（Ｓ２０７：ＮＯ）、パケット生成部２１２は、ステップＳ２０５に戻る。パケット生成部２１２は、ステップＳ２０６において、過去に生成したページングパケット２２の送信先ＩＰアドレスフィールド９１１の値を、新たに選択した基地局ＩＰアドレスで書き換えることで、新たな基地局ＩＰアドレスを付加することができる。
【００９１】
ページング処理依頼パケット２１内の送信先アドレスのみを書き換えることでてページングパケット２２を生成することができるため、従来のソケットＩＦ経由のソフトウェア通信処理に比べ、高速化が可能となる。
【００９２】
上記例は、生成したページングパケット２２を送信した後に、次のページングパケット２２を生成する。ページングパケット２２を順次生成し、順次送信する方法は、上記方法に限らない。例えば、パケット処理部１２１は、複数のページングパケット２２を順次生成してから、それらの送信を開始してもよい。
【００９３】
パケット生成部２１２は、パケットデータ選択部２１１からページング処理依頼パケット２１を取得して、当該パケット２１の送信先ＩＰアドレスフィールド９０１の値を基地局ＩＰアドレスで書き換えることで、最初のページングパケット２２を生成してもよい。
【００９４】
ページング処理依頼パケット２１と、ページングパケット２２とは、送信先ＩＰアドレス以外のデータが異なっていてもよく、これらのフォーマットが異なっていてもよい。例えば、これらが異なる送信元ＩＰアドレスを有していてもよく、データフィールド９０３、９１３内の一部データや、端末情報格納位置が異なっていてもよい。
【他の実施例】
【００９５】
上記例において、ページング処理ブロック１２は、セッション管理ゲートウェイ１１が担当する全ての基地局１３に対してページングパケット２２を送信する。以下に説明する例において、ページング処理ブロック１２は、セッション管理ゲートウェイ１１の指示に従って、ページングパケット２２の送信を停止する。以下において、実施例１と異なる点を主に説明する。
【００９６】
図１１は、本例のページング処理におけるデータ（要求、応答、支持を含む）の流れを示すシーケンス図である。図１１において、セッション管理ゲートウェイ１１は、基地局１３Ａからページング肯定応答パケット２４を受信すると、ページング処理停止指示（パケット）２５をページング処理ブロック１２に送信する。
【００９７】
ページング処理ブロック１２は、当該指示２５に応答して、ページングパケットの生成及び送信を停止する。図１１の例において、ページング処理ブロック１２は、基地局１３Ｃへページングパケットを送信する前にページング処理停止指示２５を受信しており、基地局１３Ｃへページングパケットを送信することなく、ページング処理依頼パケット２１に応答したページング処理を停止する。
【００９８】
ページング処理停止指示２５は、例えば、データ部にそれがページング処理停止指示であることを示す値に加え、対応するページング処理依頼パケット２１を特定する識別子を含む。例えば、識別子は、送信元ＩＰアドレス及び探索移動端末ＩＤの組である。ページング処理ブロック１２は、例えば、上記識別子を使用して、実行中のページング処理を管理し、ページング処理停止指示２５が指定する識別子のページング処理（ページングパケットの生成及び送信）を停止する。
【００９９】
図１２は、本例におけるセッション管理ゲートウェイ１１の処理例を示すフローチャートである。セッション管理プログラム１１２は、ページング処理ブロック１２に対して、ページング処理依頼パケット２１を送信する（Ｓ３０１）。
【０１００】
セッション管理プログラム１１２は、ページング処理依頼パケット２１を送信してから、予め設定されている所定時間内に、いずれかの基地局１３からページング肯定応答パケット２４を受信したか否か判定する（Ｓ３０２、３０３）。セッション管理プログラム１１２が、所定時間内に肯定応答パケット２４を受信しない場合（Ｓ３０２：ＹＥＳ、Ｓ３０３：ＮＯ）、セッション管理プログラム１１２は、いずれのセルにも移動端末１４が存在しないと判定し、このフローを終了する。
【０１０１】
セッション管理プログラム１１２が、所定時間内に肯定応答パケット２４を受信した場合（Ｓ３０２：ＮＯ、Ｓ３０３：ＹＥＳ）、セッション管理プログラム１１２は、ページング処理ブロック１２にページング処理停止を指示する（Ｓ３０４）。
【０１０２】
本例により、ページング処理ブロック１２及び基地局１３の不要な処理を削減し、ネットワーク１５の不要データによる通信トラヒックの増加を避けることができる。なお、ページングパケット２２を受信した基地局１３は、担当セル内に指定された移動端末１４が存在しない場合、一切の応答を返さない又は否定応答をセッション管理ゲートウェイ１１に返す。基地局１３が否定応答を返す場合、セッション管理プログラム１１２は、全ての担当基地局１３から否定応答を受信した場合にこのフローを終了してもよい。
【０１０３】
次に、図１３のシーケンス図を参照して、他のページング処理方法を説明する。上記例において、基地局１３からのページング肯定応答パケット２４は、セッション管理ゲートウェイ１１に送信され、ページング処理ブロック１２は送信されない。本例は、ページング肯定応答パケット２４を、セッション管理ゲートウェイ１１及びページング処理ブロック１２に送信する。ページング肯定応答パケット２４を受信したページング処理ブロック１２は、ページングパケットの生成及び送信を停止する。
【０１０４】
ページング肯定応答パケット２４は、それがページング肯定応答であることを示す値に加え、対応するページング処理依頼パケット２１を特定する識別子を含む。例えば、識別子は、送信先ＩＰアドレス及び探索移動端末ＩＤの組である。ページング処理ブロック１２は、例えば、上記識別子を使用して、実行中のページング処理を管理し、ページング肯定応答パケット２４が指定する識別子のページング処理（ページングパケットの生成及び送信）を停止する。
【０１０５】
例えば、基地局１３は、セッション管理ゲートウェイ１１に対して、中継装置を介してページング肯定応答パケット２４を送信する。中継装置は、ページング肯定応答パケット２４をモニタし、ページング肯定応答パケット２４を、セッション管理ゲートウェイ１１に加え、ページング処理ブロック１２に転送する。
【０１０６】
例えば、中継装置は、複数のページング処理ブロック１２から転送先を選択することが必要な場合、セッション管理ゲートウェイ１１とそれを担当するページング処理ブロック１２の関係を示す情報を参照して、転送先セッション管理ゲートウェイ１１に関連付けられているページング処理ブロック１２に、ページング肯定応答パケット２４を転送する。
【０１０７】
若しくは、ページング処理ブロック１２が上記中継装置として動作し、中継パケットにおいてページング肯定応答パケット２４を検出すると、対応するページング処理を停止する。若しくは、基地局１３は、ページング肯定応答パケット２４を、ページング処理ブロック１２に返してもよい。ページング処理ブロック１２は、ページングパケットの送信を停止し、受信したページング肯定応答パケット２４の送信先ＩＰアドレスを書き換え、対応するセッション管理ゲートウェイ１１に転送する。
【０１０８】
ページング肯定応答パケット２４の送信先ＩＰアドレスがページング処理ブロック１２である場合も、ページング処理ブロック１２は、当該肯定応答パケット２４を待つことなく、ページングパケット２２を順次送信する。
【０１０９】
以上、本発明の実施形態を説明したが、本発明が上記の実施形態に限定されるものではない。当業者であれば、上記の実施例の各要素を、本発明の範囲において容易に変更、追加、変換、削除することが可能である。各実施例の構成の一部について、削除、他の構成の追加・置換をすることが可能である。
【０１１０】
上記の各構成要素、機能、処理部、処理手段等は、それらの一部又は全部を、例えば集積回路で設計する等によりハードウェアで実現してもよい。各機能を実現するプログラム、テーブル、ファイル等の情報は、不揮発性半導体メモリ、ハードディスクドライブ、ＳＳＤ（Ｓｏｌｉｄ  Ｓｔａｔｅ  Ｄｒｉｖｅ）等の記憶デバイス、または、ＩＣカード、ＳＤカード、ＤＶＤ等の計算機読み取り可能な非一時的データ記憶媒体に格納することができる。
【０１１１】
例えば、セッション管理ゲートウェイ−基地局管理テーブル２２２は、一つのセッション管理ゲートウェイ１１の担当する基地局における一部の基地局のアドレスのみを格納していてもよい。一つのセッション管理ゲートウェイ１１の担当する基地局のアドレスが、複数のテーブルに分散してもよい。ページング処理ブロック１２は、例えば、セッション管理ゲートウェイ１１が指定したテーブルに登録されている基地局アドレスに対してのみ、ページングパケット２２を送信してもよい。
【０１１２】
上述のように、一つのページング処理ブロック１２が複数のセッション管理ゲートウェイ１１を担当することで、システム構成を効率化できる。一つの一つのページング処理ブロック１２が一つのセッション管理ゲートウェイ１１のみを担当してもよく、ページング処理ブロック１２がセッション管理ゲートウェイ１１に組み込まれていてもよい。複数のページング処理ブロック１２が、セッション管理ゲートウェイ１１を担当してもよい。一つのページング処理ブロック１２は、セッション管理ゲートウェイの管理ＩＤを使用することなく、そのアドレスを使用して情報を管理してもよい。
【符号の説明】
【０１１３】
１１  セッション管理ゲートウェイ、１２  ページング処理ブロック、１３  基地局、１４  移動端末、１５  モバイル通信ネットワーク、１６  上位ネットワーク、２１  ページング処理依頼パケット、２２  ページングパケット、２４  ページング肯定応答パケット、２５  ページング処理停止指示、１１０  内部バス、１１１  メモリ、１１２  セッション管理プログラム、１１３  情報管理プログラム、１１４  情報リポジトリ、１１５  セッション管理テーブル、１１６  基地局管理テーブル、１１７  通信デバイス、１１８  プロセッサ、１１９  二次記憶デバイス、１２１  パケット処理部、１２２  メモリ、１２３  通信インタフェース、２１１  パケットデータ選択部、２１２  パケット生成部、２２１  セッション管理ゲートウェイ管理テーブル、２２２  セッション管理ゲートウェイ−基地局管理テーブル、９０１  送信先ＩＰアドレスフィールド、９０２  送信元ＩＰアドレスフィールド、９０３  データフィールド、９０５  選択パケットデータ、９１１  送信先ＩＰアドレスフィールド、９１２  送信元ＩＰアドレスフィールド、９１３  データフィールド
【図１】
2014146892.tif 000003
【図２】
2014146892.tif 000004
【図３】
2014146892.tif 000005
【図４】
2014146892.tif 000006
【図５】
2014146892.tif 000007
【図６】
2014146892.tif 000008
【図７】
2014146892.tif 000009
【図８】
2014146892.tif 000010
【図９】
2014146892.tif 000011
【図１０】
2014146892.tif 000012
【図１１】
2014146892.tif 000013
【図１２】
2014146892.tif 000014
【図１３】
2014146892.tif 000015